(57)【要約】【課題】  電子黒板の磁性体に開口部を備え、その背面にアンテナを配置することにより、マグネットシートによりボード上に取り付けた案内板が備えたＲＦタグの情報を即座に、且つ正確に読み書きすることを可能とした電子黒板システムを提供する。【解決手段】  この電子黒板システム３００は、図４乃至図８で説明した電子黒板３００と、図５で説明した案内板２４０と、ＲＦタグ２００に対して情報の読み出しを行う受信機１００と、ＲＦタグ２００に対して情報の書き込みを行う送信機１１０と、受信機１００と送信機１１０を制御するＰＣ（制御部）５０と、情報を含む必要データを表示する表示部６０と、を備えて構成される。【選択図】  図９
2007028345.tif 000002
【特許請求の範囲】
【請求項１】
非接触情報記録媒体に記録されている情報を読み書きするための電波を授受するアンテナと、該アンテナの表面を覆う磁性体と、を備え、
前記磁性体は、前記アンテナと当該磁性体の表面に位置する前記非接触情報記録媒体との間での電波の授受を可能とする少なくとも１つ以上の透孔を備えていることを特徴とする電子黒板。
【請求項２】
前記アンテナは複数のループアンテナから構成されていることを特徴とする請求項１に記載の電子黒板。
【請求項３】
前記磁性体は、メッシュ状に複数の前記透孔を有していることを特徴とする請求項１、又は２に記載の電子黒板。
【請求項４】
前記磁性体は、所定の面積を有する磁性板に複数の前記透孔を備えたことを特徴とする請求項１、又は２に記載の電子黒板。
【請求項５】
前記磁性体は、所定の面積を有する複数の磁性体片を分散配置することにより該磁性体片間に前記透孔を配置した構成を備えていることを特徴とする請求項１、又は２に記載の電子黒板。
【請求項６】
前記磁性体は、板状のフェライト材により構成されていることを特徴とする請求項１、又は２に記載の電子黒板。
【請求項７】
非接触情報記録媒体と、該非接触情報記録媒体を支持する支持部材と、磁気シートと、を備え、前記非接触情報記録媒体、支持部材及び磁気シートを一体構成としたことを特徴とする表示部材。
【請求項８】
請求項１乃至６の何れか一項に記載の電子黒板と、請求項７に記載の表示部材と、前記非接触情報記録媒体に対して前記記録情報の読み書きを行う送受信機と、該送受信機を制御する制御部と、前記記録情報を含む必要データを表示する表示部と、を備えたことを特徴とする電子黒板システム。
【請求項９】
前記制御部は、前記表示部材が前記電子黒板の表面に近接された場合、当該表示部材に備えられた前記非接触情報記録媒体の記録情報を読み取った特定のループアンテナの位置情報に基づいて、前記表示部に前記表示部材に対応付けて前記記録情報と共に前記必要データを表示することを特徴とする請求項８に記載の電子黒板システム。
【発明の詳細な説明】
【技術分野】
【０００１】
本発明は、電子黒板、表示部材、及び電子黒板システムに関し、さらに詳しくは、電子黒板上に貼り付けたＲＦタグを備えた表示部材の位置情報と内容を読み取り、その電子黒板面の特定位置に対応付けられた表示部に表示部材の情報を電子データとして表示する技術に関するものである。
【背景技術】
【０００２】
スチール製のホワイトボード（商品名）は、マーカーペンによる書き込みが可能であるばかりでなく、マグネットシートを着脱自在に構成されており、オフィス、工場等において、説明、プレゼンテーションのための表示・書き込み手段や、予定表や工程管理のための表示・書き込み手段として使用されている。なお、マグネットシートとは、例えば長さの違う矢印、その他の任意の絵柄、文字、記号等を表示したシート状のフェライト材を磁化してホワイトボード面に着脱自在に構成したものである。
例えば、長さの違う矢印を備えたマグネットシートは、ホワイトボード面に予め記入されている工程表中の任意の位置、期間欄中に吸着されることによって、個々の工程の始期と終期を表すために用いられる。このように、マグネットシートをホワイトボード面の特定箇所に吸着させた場合に、マグネットシートにより印刷された視覚的に把握可能な図柄等がホワイトボード上の記載事項との関係で何を意味するかということを電子データとしてコンピュータに通知したり、記憶することができれば、情報の一元化と情報管理の点で便利であるが、従来次のような理由によって実現されていなかった。
即ち、マグネットシートをホワイトボード上に吸着させるためにはホワイトボードの表面が磁性体であることが必要条件である。またマグネットシートに印刷された視覚的に把握可能な図柄等を電子データ化することはさほど困難ではないが、何らかの方法でコンピュータとマグネットシートとの間で非接触に電子データの授受が行われる必要がある。即ち、電波により情報の交信が行なわれなければならない。このようにマグネットシートの場合は、ホワイトボードの磁性体表面に磁気力により密着した状態でコンピュータとの間で電波により情報の交信を行なえることが必要十分条件であるが、この必要十分条件を備えたホワイトボードが存在していなかった。
【０００３】
ところで、マグネットシート側に記載された視覚的に把握できる記録内容をコンピュータに通知するための一つの手段として、ＲＦタグとリーダライタを使用したシステムを利用することが考えられる。しかし、ホワイトボードとの関係では、ＲＦタグを利用したリードライトシステムを使用する場合に大きな問題が発生する。それは、マグネットシートを磁力によりホワイトボード面に取り付ける必要から、ホワイトボードの背面を磁性体により覆う必要がある一方で、ＲＦタグとリータライタとの間における電波の授受に際しては、電波が磁性体により減衰されてＲＦタグの情報を読み取ることが困難となり、実用に供し得なくなる虞がある。
そこで、従来の電子黒板とマグネットシートに関する従来技術としては、例えば特許文献１には、筆記面に書き込まれた内容を読み取り、メール送信の指示がされている場合は画像解析を行い、アドレス書き込み領域、題目書き込み領域からそれぞれ読み取り変換されたデータに基づいて文字認識処理により文字を解析して文字列、送信先のメールアドレス、及びサブジェクトをそれぞれ取得する。そして送信先のメールアドレスをＴｏフィールドに、サブジェクトをＳｕｂｊｅｃｔフィールドにそれぞれ格納すると共に、本文書き込み領域に書き込まれた画像を、読み込み電子情報化した画像データとして添付して電子メール文書を作成する。その後、Ｔｏフィールドに格納されたメールアドレス宛に、作成した添付画像付きの電子メール文書を送信する技術が開示されている。
また特許文献２には、ＲＦタグ毎に個別情報が記憶されたＩＣチップと、ＩＣチップに電気的に接続されたアンテナコイルと、これらＩＣチップとアンテナコイルとが装着されたＲＦタグ本体とを備え、ＲＦタグ本体に、金属に取り付けるためのマグネットを設けたマグネットＲＦタグについて開示されている。
【特許文献１】特開２００２−２１８１３８公報
【特許文献２】特開２００５−７８２５６公報
【発明の開示】
【発明が解決しようとする課題】
【０００４】
しかしながら、特許文献１に開示されている従来技術は、筆記面に書かれた情報を読み取って文字認識してメール送信するものであり、筆記面に書かれた情報を読み取るために時間を要することと、必ずしも文字認識の認識率が高いとは限らず、正しく情報が伝達する確率が低いといった問題がある。
また特許文献２に開示されている従来技術は、金属に取り付けるためにＲＦタグにマグネットを取り付けたものであり、ＲＦタグに記録された情報は、別途ハンディタイプのリーダライタにより読み取る必要があるため、操作が煩雑であるといった問題がある。
本発明は、かかる課題に鑑み、電子黒板の磁性体に開口部を備え、その背面にアンテナを配置することにより、マグネットシートによりボード上に取り付けた案内板が備えたＲＦタグの情報を即座に、且つ正確に読み書きすることを可能とした電子黒板システムを提供することを目的とする。
【課題を解決するための手段】
【０００５】
本発明はかかる課題を解決するために、請求項１は、非接触情報記録媒体に記録されている情報を読み書きするための電波を授受するアンテナと、該アンテナの表面を覆う磁性体と、を備え、前記磁性体は、前記アンテナと当該磁性体の表面に位置する前記非接触情報記録媒体との間での電波の授受を可能とする少なくとも１つ以上の透孔を備えていることを特徴とする。
マグネットシート側に記載された視覚的に把握できる記録内容をＲＦタグに電子データとして記録した場合、電子黒板との関係では、ＲＦタグを利用したリードライトシステムを使用する場合に大きな問題が発生する。それは、マグネットシートを磁力により電子黒板面に取り付ける必要から、電子黒板の背面を磁性体により覆う必要がある一方で、ＲＦタグとリータライタとの間における電波の授受に際しては、電波が磁性体により減衰されてＲＦタグの情報を読み取ることが困難となり、実用に供し得なくなる虞がある。そこで本発明では、マグネットシートに書き込まれた情報を読み取り可能とするために、磁性体に電波が通過する透孔（開口部）を備えて、その背面にＲＦタグとの情報の授受を行なうアンテナを備えたものである。
請求項２は、前記アンテナは複数のループアンテナから構成されていることを特徴とする。
本発明はマグネットシートの位置を表示部に対応付けて表示するため、２次元的な位置情報を知る必要がある。そこで本発明では、複数のループアンテナを磁性体と対向して配置し、どのループアンテナからの情報かを検知して位置を特定するものである。
請求項３は、前記磁性体は、メッシュ状の前記開口部を有していることを特徴とする。
磁性体を挟んでＲＦタグとアンテナ間で電波の伝播を行なうためには、磁性体に電波が通過する開口部が必要である。その一つの方法として、磁性体を針金のようにして、それをメッシュ状に構成することである。
【０００６】
請求項４は、前記磁性体は、所定の面積を有する磁性板に複数の前記開口部を備えたことを特徴とする。
磁性体を挟んでＲＦタグとアンテナ間で電波の伝播を行なうためには、磁性体に電波が通過する開口部が必要である。その一つの方法として、平面の磁性板に複数の開口部を備える方法であり、その開口部の形状は特に限定されない。
請求項５は、前記磁性体は、所定の面積を有する複数の磁性体片を分散配置することにより該磁性体片間に前記透孔を配置した構成を備えていることを特徴とする。
磁性体を挟んでＲＦタグとアンテナ間で電波の伝播を行なうためには、磁性体に電波が通過する開口部が必要である。その一つの方法として、磁性体の小片を非磁性体により繋げて分散配置することにより、各磁性体片間に透孔を配置した構成とすることである。
請求項６は、前記磁性体は、板状のフェライト材により構成されていることを特徴とする。
鉄等の磁性体を使用した場合、磁界が減衰してしまうが、フェライトは磁界を殆ど減衰することなく透過させる性質がある。従って、磁性体の性質と磁界を透過させる性質を併せ持つことを利用することができる。
請求項７は、非接触情報記録媒体と、該非接触情報記録媒体を支持する支持部材と、磁気シートと、を備え、前記非接触情報記録媒体、支持部材及び磁気シートを一体構成としたことを特徴とする。
本発明の表示部材はその表示部材の情報を記録したＲＦタグを内部に備えている。そして表示部材自体を磁性体に取り付けるために、磁気シートを表面に備えている。即ち、ＲＦタグ、支持部材、磁気シートが一体に構成されている。
【０００７】
請求項８は、請求項１乃至６の何れか一項に記載の電子黒板と、請求項７に記載の表示部材と、前記非接触情報記録媒体に対して前記記録情報の読み書きを行う送受信機と、該送受信機を制御する制御部と、前記記録情報を含む必要データを表示する表示部と、を備えたことを特徴とする。
本発明の電子黒板システムは、本発明の電子黒板と、その電子黒板に磁気力により取り付ける表示部材と、電子黒板の背面に備えられたアンテナを介して情報を送受信する送受信機と、この送受信機を制御するＰＣ等の制御部と、表示部材に記録されたデータを表示する表示部とを備えている。
請求項９は、前記制御部は、前記表示部材が前記電子黒板の表面に近接された場合、当該表示部材に備えられた前記非接触情報記録媒体の記録情報を読み取った特定のループアンテナの位置情報に基づいて、前記表示部に前記表示部材に対応付けて前記記録情報と共に前記必要データを表示することを特徴とする。
本発明の電子黒板システムの最も大きな特徴は、電子黒板のシート面の表示と表示部の表示画面を対応付けておき、電子黒板上に貼られた表示部材の情報が、リアルタイムに表示部に表示されると共に、その情報が電子データとして制御部により制御可能とした点である。従って、一旦制御部により取り込まれた情報は、電子データとしてあらゆる加工が可能となる。例えば、その情報を電子メールにより遠方に伝送することも可能である。
【発明の効果】
【０００８】
請求項１の発明によれば、ＲＦタグを取り付けたマグネットシートを使用して、磁性体に電波が通過する透孔を備えて、その背面にＲＦタグとの情報の授受を行なうアンテナを備えたので、マグネットシートに書き込まれた情報を読み書き可能とすると共に、その情報を電子データとして扱うことができる。
また請求項２では、複数のループアンテナを磁性体と対向して配置したので、マグネットシートの２次元的な位置情報を知ることができる。
また請求項３では、磁性体を針金のようにして、それをメッシュ状に構成したので、磁性体の製造が容易で且つ安価に実現することができる。
また請求項４では、平面の磁性板に複数の透孔を備えたので、本発明の磁性体を型により製作することが容易となり、大量生産することが可能となる。
また請求項５では、磁性体の小片を非磁性体により繋げて分散配置することにより各磁性体片間に透孔を配置したので、分散配置した磁性体の小片を樹脂等の非磁性体により一体成形することができる。
また請求項６では、磁性体は、板状のフェライト材により構成されているので、磁性体の性質と磁界を透過させる性質を併せ持ち、磁性体に開口部を設ける加工が不要となる。
また請求項７では、ＲＦタグ、支持部材、磁気シートが一体に構成されて表示部材を構成しているので、表示部材を磁性体表面に磁力により固定することができる。
また請求項８では、本発明の電子黒板システムは、電子黒板と、その電子黒板に磁気力により取り付ける表示部材と、電子黒板の背面に備えられたアンテナを介して情報を送受信する送受信機と、この送受信機を制御するＰＣ等の制御部と、表示部材に記録されたデータを表示する表示部とを備えているので、電子黒板、表示部材、送受信機、ＰＣ、表示部が一体となったシステムとして構築することが可能となり、その表示部材に記録された情報を電子データとして処理、加工することができる。
また請求項９では、電子黒板のシート面と表示部の表示画面を対応付けておき、電子黒板上に貼られた表示部材の情報が、リアルタイムに表示部に表示されると共に、その情報が電子データとして制御部により制御可能としたので、電子黒板に情報を記載しなくても情報が電子データとして記憶、加工される。
【発明を実施するための最良の形態】
【０００９】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
図１は、本発明のＩＣカード若しくはＲＦタグ（非接触情報記録媒体）用受信機の構成を示すブロック図である。この受信機１００は、受信機１００との間でデータの授受を行ってシステム全体を制御するＰＣ５０によって制御される。受信機１００は、外部のＰＣ５０とのデータの通信プロトコルを司る送受信装置１と、受信機１００全体の動作を制御する制御装置２と、制御装置２を動作させる手順を記録したファームウェアと読み取ったデータを格納するメモリ装置３と、操作コマンドを入力する入力装置５と、制御装置２により制御された情報を表示する表示装置６と、ループコイル９から受信した搬送波から２値化データに変換する検波復調器８と、図示しないＩＣカード若しくはＩＣタグとデータの授受をするループコイル９と、を備えて構成されている。
図２は、本発明のＩＣカード若しくはＲＦタグ（非接触情報記録媒体）用送信機の構成を示すブロック図である。この送信機１１０は、送信機１１０との間でデータの授受を行ってシステム全体を制御するＰＣ５０によって制御される。送信機１１０は、外部のＰＣ５０とのデータの通信プロトコルを司る送受信装置１１と、送信機１１０全体の動作を制御する制御装置１２と、制御装置１２を動作させる手順を記録したファームウェアと読み取ったデータを格納するメモリ装置１３と、制御装置１２からのデータを搬送波に乗せて変調する変調器１４と、操作コマンドを入力する入力装置１５と、制御装置１２により制御された情報を表示する表示装置１６と、制御装置１２からの交流信号である電力供給用信号と変調器１４からの書き込みコマンドを電力増幅する電力増幅器１７と、図示しないＩＣカード若しくはＲＦタグとの電力用搬送波を送信する合成アンテナ３５０（詳細は後述する）と、を備えて構成されている。
図３は、ＩＣカード若しくはＲＦタグの構成を示すブロック図である。本実施形態のＩＣカード若しくはＲＦタグ２００は、送信機１１０からの電力用搬送波によりデータの授受をするループアンテナ２０と、書き込みコマンド読み出しコマンドを生成する送受信回路２１と、ループアンテナ２０からの電力用搬送波を受け、それを整流して直流電力に変換する電力生成回路２２と、制御用ファームウェアとデータの記憶を司るメモリ装置２３と、制御回路２６からの送信コマンドに搬送波を乗せて変調する変調器２４と、送受信回路２１からの搬送波データから２値化データに変換する検波器２５と、ＩＣカード若しくはＲＦタグ２００の全体の動作を制御する制御回路２６から構成されている。
【００１０】
次に、図１、図２及び図３を併せて参照してそれぞれ単独の動作について説明する。受信機１００及び送信機１１０は、図示しない電源が入れられると制御装置２、１２のイニシャル動作後、メモリ装置３、１３に記憶されたプログラムに従い動作を開始する。まず、初期化が行われる。次に、送信機１１０の制御装置１２は、ＩＣカード若しくはＲＦタグ（以下、ＲＦタグとして説明する）２００に供給する電力供給用信号と、それを変調したポーリング信号を交互に電力増幅器１７から送信する。その信号は、合成アンテナ１０から磁界が放射される。次に、ＲＦタグ２００のループアンテナ２０が電力供給用信号を受信し、電力生成回路２２によりその搬送波を整流して直流電力に変換して、ＲＦタグ２００内の全ての回路に供給する。電力を供給されて制御回路２６が駆動すると、メモリ装置２３に格納されたプログラムに従って、制御を開始する。
次に、制御回路２６は、まず送受信回路２１からコマンドを検波器２５で復調して２値化信号に変換し、そのコマンドを解析する。その結果自分が呼び出されていることを認識すると、レスポンスを変調器２４により変調して送受信回路２１を介してループアンテナ２０から送信する。このレスポンスを受信機１００がループコイル９で受信して、検波復調器８で２値化コードに変換し、制御回路２により解析してＲＦタグ２００が規格に合致したＲＦタグであると認識する。
【００１１】
図４は本発明の一実施形態に係る電子黒板の構成を示す図である。図４（ａ）は正面図、図４（ｂ）は側断面図である。この電子黒板３００は、図示しないＲＦタグに記録されている情報を読み書きするための電波を授受するマトリックスアンテナ（アンテナ）３５０と、マトリックスアンテナ３５０の表面を覆うように構成した鉄片（磁性体）３２と、鉄片３２を覆うように構成した表面シート３１と、本体３０と、を備えて構成される。尚、本体３０は各構成要素を支持する支持部３５と、本体足３３と、キャスター３４により構成される。また鉄片３２は鉄片支持材３６により支持され、適当な間隔をおいて配置されている。即ち、支持部３５内にマトリックスアンテナ３５０、鉄片支持材３６により支持された鉄片３２、表面シート３１の順に構成される。また磁性体として本実施形態では、鉄片を使用した例について説明したが、これに限らず図８（ａ）に示すように、磁性体である針金７０を縦横にメッシュ状に配置することによって透孔を形成しているものや、図８（ｂ）、（ｃ）に示すように所定の面積を有する鉄板（磁性体）７１に複数の穴（透孔）７２、７３を備えているものや、図４、図８（ｄ）に示すように、所定の面積を有する複数の鉄片（磁性体片）３２を分散配置して構成したものや、図８（ｅ）に示すように、板状のフェライト材７４により構成したものや、図８（ｆ）に示すように、シート状のフェライト７６により構成することもできる。
図５は本発明の一実施形態に係る案内板の構成を示す図である。図５（ａ）は上面図であり、図５（ｂ）は側断面図である。この案内板２４０はＲＦタグ２００と、ＲＦタグ２００を支持するタグ支持材（支持部材）２３０と、スペーサ２２０と、マグネットシート（磁気シート）２１０とを備え、ＲＦタグ２００、タグ支持材２３０及びマグネットシート２１０を一体構成としたものである。尚、ＲＦタグ２００内にはループアンテナ２０が備えられている。
本発明では、この案内板２４０を前述した電子黒板３００の表面シート３１に磁気力により貼り付け、ＲＦタグ２００に記録されている情報をマトリックスアンテナ３５０を介して後述する送受信機により情報の読み書きを行なうものである。そこで、まず本発明の電子黒板３００がどのようにしてＲＦタグ２００と交信するかを詳細に説明する。
【００１２】
図６は図８（ａ）、（ｂ）、（ｃ）、（ｄ）に示す磁性体の形態を電子黒板に使用した場合に、ＲＦタグとの交信状態を示した模式図である。同じ構成要素には同じ参照番号を付して説明する。この構成では、コイル３５０ａを備えたマトリックスアンテナ３５０の上に鉄片支持材３６があり、その鉄片支持材３６に支持された複数の鉄片３２（この例では３つ）が空隙３７を挟んで配置されている。そして鉄片３２を覆うように表面シート３１が表面を覆い、その表面シート３１上に鉄片３２と磁気力により固定されるマグネットシート２１０とＲＦタグ２００とタグ支持材２３０とが一体に構成された案内板２４０が固定されている。この状態で電子黒板３００とＲＦタグ２００の交信状態について説明する。尚。説明を簡略化するために磁力線を１本として説明する。
マトリックスアンテナ３５０とＲＦタグとの交信を成功させるためには、マトリックスアンテナ３５０から出た磁力線３８がＲＦタグ２００が備えるループアンテナ２０を横切る必要がある。例えば、マトリックスアンテナ３５０から磁力線３８、３９が放射され、磁力線３９が鉄片３６を横切り、磁力線３８が空隙３７を通過したとする。この例では磁力線３９は鉄片支持材３６では殆ど減衰されないが、鉄片３２を通過する際に大きく減衰されてしまう。従って、鉄片３２の厚さにもよるが、磁力線３９はＲＦタグ２００との交信には寄与しなくなる。一方、空隙３７を通過した磁力線３８は殆ど減衰されることなく表面シート３１、マグネットシート２１０を通過してＲＦタグ２００のループアンテナ２０を横切ってタグ支持材２３０を通過して再び逆のルートでマトリックスアンテナ３５０との間にループを形成する。これにより、マトリックスアンテナ３５０からの信号はＲＦタグ２００に伝達され、逆にＲＦタグ２００からの信号もマトリックスアンテナ３５０に伝達される。尚、この例では鉄片３２以外は非磁性体により構成されているものとする。
【００１３】
図７は図８（ｅ）に示す磁性体の形態を電子黒板に使用した場合に、ＲＦタグとの交信状態を示した模式図である。同じ構成要素には同じ参照番号を付して説明する。そして図７（ａ）はフェライトと表面シートとの間にマトリックスアンテナを構成した場合であり、図７（ｂ）はマトリックスアンテナと表面シートとの間にフェライトを構成した場合である。
まず図７（ａ）の構成では、フェライト４０の上にマトリックスアンテナ３５０があり、マトリックスアンテナ３５０を覆うように表面シート３１が表面を覆い、その表面シート３１上にフェライト４０と磁気力により固定されるマグネットシート２１０とＲＦタグ２００とタグ支持材２３０とが一体に構成された案内板２４０が固定されている。この状態で電子黒板３００とＲＦタグ２００の交信状態について説明する。尚。説明を簡略化するために磁力線を１本として説明する。
マトリックスアンテナ３５０とＲＦタグとの交信を成功させるためには、前述したとおりである。例えば、マトリックスアンテナ３５０から磁力線４１が放射され、磁力線４１は殆ど減衰されることなく表面シート３１、マグネットシート２１０を通過してＲＦタグ２００のループアンテナ２０を貫通しタグ支持材２３０を通過して再び逆のルートでマトリックスアンテナ３５０を通過し、フェライト４０内を殆ど減衰することなく通過してマトリックスアンテナ３５０との間にループを形成する。これにより、マトリックスアンテナ３５０からの信号はＲＦタグ２００に伝達され、逆にＲＦタグ２００からの信号もマトリックスアンテナ３５０に伝達される。尚、この例ではフェライト４０以外は非磁性体により構成されているものとする。
次に図７（ｂ）のこの構成では、マトリックスアンテナ３５０の上にフェライト４０があり、フェライト４０を覆うように表面シート３１が表面を覆い、その表面シート３１上にフェライト４０と磁気力により固定されるマグネットシート２１０とＲＦタグ２００とタグ支持材２３０とが一体に構成された案内板２４０が固定されている。この状態で電子黒板３００とＲＦタグ２００の交信状態について説明する。尚。説明を簡略化するために磁力線を１本として説明する。
マトリックスアンテナ３５０とＲＦタグとの交信を成功させるためには、前述したとおりである。例えば、マトリックスアンテナ３５０から磁力線４４が放射され、磁力線４４は殆ど減衰されることなく表面シート３１、マグネットシート２１０を通過してＲＦタグ２００のループアンテナ２０を貫通しタグ支持材２３０を通過して再び逆のルートでマトリックスアンテナ３５０を通過してマトリックスアンテナ３５０との間にループを形成する。これにより、マトリックスアンテナ３５０からの信号はＲＦタグ２００に伝達され、逆にＲＦタグ２００からの信号もマトリックスアンテナ３５０に伝達される。尚、この例ではフェライト４０以外は非磁性体により構成されているものとする。
【００１４】
図９は本発明の電子黒板システムの構成を示すブロック図である。同じ構成要素には同じ参照番号を付して説明する。この電子黒板システム４００は、図４乃至図８で説明した電子黒板３００と、図５で説明した案内板２４０と、ＲＦタグ２００に対して情報の読み出しを行う受信機１００と、ＲＦタグ２００に対して情報の書き込みを行う送信機１１０と、受信機１００と送信機１１０を制御するＰＣ（制御部）５０と、情報を含む必要データを表示する表示部６０と、を備えて構成される。この電子黒板システム３００の動作を説明する前に図１０を参照してマトリックスアンテナ３５０と受信機１００と送信機１１０との関係について説明する。
図１０は本発明の一実施形態に係る電子黒板システムの構成図である。同じ構成要素には同じ参照番号を付して説明する。この電子黒板システム４００は、マトリックス状に構成されたマトリックスアンテナ３５０と、マトリックスアンテナ３５０を介して図示しないＲＦタグへの電力用搬送波の伝播を行う送信機１１０と、ＲＦタグからのデータの受信を仲介するループコイル９と、ループコイル９を介して、ＲＦタグとの間で所定の変復調方式に基づくデータの授受を行う受信機１００と、受信機１００と送信機１１０を制御するＰＣ５０とを備えて構成される。またマトリックスアンテナ３５０は、マトリックス状に構成された線路群３１３と、各線路群に流す電流を駆動する電流駆動回路３１０、３１１、３１２、３１４により構成される。
【００１５】
次に本実施形態に係る電子黒板システム４００の概略動作について説明する。例えば、線路群３１３の領域Ａの情報を読み取る場合、ＰＣ５０は送信機１１０に対して領域Ａのマトリックスに電流ループが形成されるように電流駆動回路３１０、３１１、３１２、３１４のゲート信号を制御する。このとき領域Ａの周辺の領域には磁界が発生しにように各線路が制御される。そして電流の向きが決定すると、電流をＩＣタグと交信可能な信号に変調する。これにより、領域Ａに近接したＲＦタグが駆動され、ＲＦタグに記録されている情報がループコイル９から読み取られて受信機１００に入力される。尚、本実施形態ではループコイル９を１つとしたが、複数のループコイルに分割しても構わない。
図１１は本発明の電子黒板システムに係る実施例を示す図である。図１１（ａ）は在席及び在室を管理する例を説明する図である。同じ構成要素には同じ参照番号を付して説明する。電子黒板３００には、例えば一つの部署の席の配置を示しており、各案内板Ａ〜Ｘ、ａ〜ｘにはその案内板に記載されている氏名及び役職等がＲＦタグに記録されている。この例では、案内板Ｄ３００ａに席がある人が外出或いは早退、欠勤した場合、不在位置３００ｂにその人の案内板２４０を貼り付けておく。これにより、ＰＣ５０は各案内板の位置情報とＲＦタグに記録されている情報を読み取り、表示部６０に表示する。表示部６０には電子黒板３００の配置と同じようなレイアウトの図を表示しておくと、案内板Ｄ３００ａの席に例えば「外出」の文字を表示する。これを管理者がＰＣの表示部６０で確認することができる。
図１１（ｂ）は工程スケジュールを管理する例を説明する図である。同じ構成要素には同じ参照番号を付して説明する。電子黒板３００には、例えば縦軸に工程の項目である「ＸＸ開発」、「ＸＸ設計」、「ＸＸ製造」を記し、横軸に工程期間（月、日等）を記しておく。そして各案内板２４０には表面に矢印を記載し、ＲＦタグにはその工程が何日から始まって何日で終了する予定とか、或いはそれに関する注意事項等の情報を記録しておく。これにより、もし日程に変更が生じた場合は、案内板の位置を変更したり、ＲＦタグに記録する情報を変更して対応する。
この他に、娯楽として囲碁や将棋のネットワーク対戦を行なう際に、各案内板に例えば将棋の駒名を記録しておくことにより、対戦が可能となる。
【００１６】
以上の説明の通り、本発明によれば、ＲＦタグ２００を取り付けた案内板２４０を使用して、磁性体に電波が通過する開口部を備えて、その背面にＲＦタグとの情報の授受を行なうマトリックスアンテナ３５０を備えたので、案内板２４０に書き込まれた情報を読み書き可能とすると共に、その情報を電子データとして扱うことができる。
また、マトリックスアンテナ３５０を磁性体と対向して配置したので、案内板２４０の２次元的な位置情報を知ることができる。
また、磁性体を針金のようにして、それをメッシュ状に構成したので、磁性体の製造が容易で且つ安価に実現することができる。
また、平面の磁性板に複数の開口部を備えたので、本発明の磁性体を型により製作することが容易となり、大量生産することが可能となる。
また、磁性体の小片を非磁性体により繋げて分散配置して構成するので、分散配置した磁性体の小片を樹脂等の非磁性体により一体成形することができる。
また、磁性体は、板状のフェライト材により構成されているので、磁性体の性質と磁界を透過させる性質を併せ持ち、磁性体に開口部を設ける加工が不要となる。
【００１７】
また、ＲＦタグ２００、タグ支持材２３０、マグネットシート２１０が一体に構成されて案内板２４０を構成しているので、案内板２４０を磁性体表面に磁力により固定することができる。
また、本発明の電子黒板システム４００は、電子黒板３００と、その電子黒板３００に磁気力により取り付ける案内板２４０と、電子黒板３００の背面に備えられたマトリックスアンテナ３５０を介して情報を送受信する受信機１００、送信機１１０と、この送受信機を制御するＰＣ５０と、案内板２４０に記録されたデータを表示する表示部６０とを備えているので、電子黒板３００、案内板２４０、送受信機１００、１１０、ＰＣ５０、表示部６０が一体となったシステムとして構築することが可能となり、その案内板２４０に記録された情報を電子データとして処理、加工することができる。
また、電子黒板３００のシート面と表示部６０の表示画面を対応付けておき、電子黒板上に貼られた案内板２４０の情報が、リアルタイムに表示部６０に表示されると共に、その情報が電子データとしてＰＣ５０により制御可能としたので、電子黒板３００に情報を記載しなくても情報が電子データとして記憶、加工される。
【図面の簡単な説明】
【００１８】
【図１】本発明のＩＣカード若しくはＲＦタグ用受信機の構成を示すブロック図である。
【図２】本発明のＩＣカード若しくはＲＦタグ用送信機の構成を示すブロック図である。
【図３】ＩＣカード若しくはＲＦタグの構成を示すブロック図である。
【図４】（ａ）（ｂ）は本発明の一実施形態に係る電子黒板の構成を示す図である。
【図５】（ａ）（ｂ）は本発明の一実施形態に係る案内板の構成を示す図である。
【図６】図８（ａ）、（ｂ）、（ｃ）、（ｄ）に示す磁性体の形態を電子黒板に使用した場合のＲＦタグとの交信状態を示した模式図である。
【図７】（ａ）（ｂ）は図８（ｅ）に示す磁性体の形態を電子黒板に使用した場合のＲＦタグとの交信状態を示した模式図である。
【図８】（ａ）〜（ｆ）は各種形状の磁性体の例を示す図である。
【図９】本発明の電子黒板システムの構成を示すブロック図である。
【図１０】本発明の一実施形態に係る電子黒板システムの構成図である。
【図１１】（ａ）（ｂ）は本発明の電子黒板システムに係る実施例を示す図である。
【符号の説明】
【００１９】
３０  本体、３１  表面シート、３２  鉄片、３３  本体足、３４  キャスター、３５  支持部、５０  ＰＣ、６０  表示部、１００  受信機、１１０  送信機、２００  ＲＦタグ、２４０  案内板、３００  電子黒板、３５０  マトリックスアンテナ、４００  電子黒板システム
【図１】
2007028345.tif 000003
【図２】
2007028345.tif 000004
【図３】
2007028345.tif 000005
【図４】
2007028345.tif 000006
【図５】
2007028345.tif 000007
【図６】
2007028345.tif 000008
【図７】
2007028345.tif 000009
【図８】
2007028345.tif 000010
【図９】
2007028345.tif 000011
【図１０】
2007028345.tif 000012
【図１１】
2007028345.tif 000013